(57)【要約】      （修正有）【課題】海底ケーブル管理に関して海底ケーブル通信信号線と、浮島によりその重さと電磁波公害対策を検討する事により海底送電を実現するエコロジー処理コンピュータ海底ケーブルを提供する。【解決手段】宇宙の人工衛星３個１、ＧＰＳ航法システム２、によるいかり４、で決めてた位置決めのズレを発電機（超伝導コイル蓄電機含む）５、ポット推進器６、により制御される位置の浮島（海底ケーブル高圧送電エネルギー線中継基地・ＧＰＳ航法システム運用基地・海底ケーブル通信信号線中継基地）１０により海底ケーブル（高圧送電エネルギー線）３の重量と電磁波公害対策を検討できる海底送電海上受給電を実現するエコロジー処理コンピュータ海底ケーブル。【選択図】図１
0003133563.tif 000002
【実用新案登録請求の範囲】
【請求項１】
ＧＰＳ航法システムによる位置決めをポッド推進器により運用可能とした浮島（保存船でも代替可）により海底ケーブル（高圧送電エネルギー線）のふせつ・運用をその重量・電磁公害対策の検討にできるエコロジー処理コンピュータ海底ケーブル。
【請求項２】
エコロジー処理コンピュータヴィークルシステム（別途Patent出願中）運用を採用した事を特徴とする請求項１記載のエコロジー処理コンピュータ海底ケーブル。
【請求項３】
ＧＰＳ航法システムを採用した事を特徴とする請求項１記載のエコロジー処理コンピュータ海底ケーブル。
【請求項４】
ポッド推進器を採用した事を特徴とする請求項１記載のエコロジー処理コンピュータ海底ケーブル。
【請求項５】
発電機（超伝導コイル蓄電機）を採用し、海の上で受給電できる事を特徴とする請求項１記載のエコロジー処理コンピュータ海底ケーブル。
【考案の詳細な説明】
【技術分野】
【０００１】
本考案は、従来のエコロジー処理コンピュータ海底ケーブルとしての海底ケーブル通信信号線のエコロジー処理コンピュータ海底ケーブルに関する。
【背景技術】
【０００２】
海底ケーブル通信信号線のエコロジー処理コンピュータ海底ケーブルは、通信信号線を海底にケーブルして有する海底中継器により中継し、世界の通信ネットワークを構築維持発展しているものである。
【考案の開示】
【考案が解決しようとする課題】
【０００３】
しかしながら、通信信号線に高圧送電線（エネルギー線）を追加すると、その重量や電磁波公害（クロストーク等）が発生し、ふ設工事や運用に到らなかった。
【０００４】
本考案は上記実情に鑑みてなされたものであり、海底ケーブル（高圧送電エネルギー線）対応の浮島（エコロジー処理コンピュータヴィークルシステム運用基地・海底ケーブル・高圧送電エネルギー線中継基地）を設けてその重量や電磁波公害対策し、ふ設工事運用に到らせる事を目的としている。
【課題を解決するための手段】
【０００５】
上記目的を達成するため考案は、その重量や電磁波公害対策の検討のため従来の海底ケーブルブイに追加した次の構成を含むことを特徴としている。
ＧＰＳ航法システムと1組以上のポッド推進器を有した浮島をエコロジー処理コンピュータヴィークルシステム運用基地・海底ケーブル・高圧送電エネルギー線中継基地・ＧＰＳ航法システム運用基地・海底ケーブル通信信号線中継基地とするものである。
【考案の効果】
【０００６】
本考案により、その重量や電磁波公害対策の検討として３つの宇宙の人工衛星によりＧＰＳ航法システムを運用し、浮島の位置決めを制御でき、更に気象制御のエコロジー処理コンピュータヴィークルシステムの運用により従来の海底ケーブル用ブイに比して性能向上を計る事ができる。
【考案を実施するための最良の形態】
【０００７】
本考案の実施の形態の一例について、図面を参照しながら説明する。
エコロジー処理コンピュータ海底ケーブルは、図１に示すように、宇宙の人工衛生３個１、ＧＰＳ航法システム２、それを運用する１つ以上の発電機（超伝導コイル蓄電機含む。）５、ポッド推進器６、を有した浮島（エコロジー処理コンピュータヴィークルシステム運用基地・海底ケーブル・高圧送電エネルギー線中継基地・ＧＰＳ航法システム運用基地・海底ケーブル通信信号線中継基地）１０、を人工島として有し、従来の海底ケーブル用ブイに比して、いかり４による位置決めの困難な海底ケーブル（高圧送電エネルギー線）３を位置制御し、その重量と電磁波公害対策の検討としている。エコロジー処理コンピュータヴィークルシステム（別途Patent出願中）７、による気象（環境）制御によりその性能向上を計り、浮島１０、の新建造を保存船８、（例として神奈川みなとみらい日本丸、東京船の科学館宗谷、北海道摩周丸、東京明治丸、富山海王丸）で代替えしても可能である。
【図面の簡単な説明】
【０００８】
【図１】本考案のエコロジー処理コンピュータ海底ケーブルの実施の形態の一例を示す図である。
【符号の説明】
【０００９】
１        宇宙の人工衛星３個
２        ＧＰＳ航法システム
３        海底ケーブル（高圧送電エネルギー線）
４        いかり
５        発電機（超伝導コイル蓄電機含む。）
６        ポッド推進器
７        エコロジー処理コンピュータヴィークルシステム
８        保存船
９        海底ケーブル用ブイ
１０      浮島（エコロジー処理コンピュータヴィークルシステム運用基地・海底ケーブル・高圧送電エネルギー線中継基地・ＧＰＳ航法システム運用基地・海底ケーブル通信信号線中継基地）
【図１】
0003133563.tif 000003
【手続補正書】
【提出日】平成19年3月23日(2007.3.23)
【手続補正１】
【補正対象書類名】実用新案登録請求の範囲
【補正対象項目名】全文
【補正方法】変更
【補正の内容】
【実用新案登録請求の範囲】
【請求項１】
ポッド推進器を具備した保存船でも代替可の浮島によりGPS航法システムを構成したエコロジー処理コンピュータ海底ケーブル。
【請求項２】
GPS航法システムを具備した事を特徴とする請求項１記載のエコロジー処理コンピュータ海底ケーブル。
【請求項３】
ポッド推進器を具備した事を特徴とする請求項１記載のエコロジー処理コンピュータ海底ケーブル。
【請求項４】
超伝導コイル蓄電機を発電機として具備した事を特徴とする請求項１記載のエコロジー処理コンピュータ海底ケーブル。
【手続補正２】
【補正対象書類名】明細書
【補正対象項目名】０００７
【補正方法】変更
【補正の内容】
【０００７】
本考案の実施の形態の一例について、図面を参照しながら説明する。
エコロジー処理コンピュータ海底ケーブルは、図１に示すように、宇宙の人工衛星３個１、GPS航法システム２、それを運用する１つ以上の超伝導コイル蓄電機を発電機５とし、ポッド推進器６、を有した海底ケーブル・高圧送電エネルギー線中継基地・GPS航法システム運用基地・海底ケーブル通信信号線中継基地１０、を人工島として有し、従来の海底ケーブル用ブイに比して、いかり４による位置決めの困難な海底ケーブル（高圧送電エネルギー線）３を位置制御し、その重量と電磁波公害対策の検討としている。浮島１０、の新建造を保存船８、（例として神奈川みなとみらい日本丸、東京船の科学館宗谷、北海道摩周丸、東京明治丸、富山海王丸）で代替えしても可能である。
【手続補正３】
【補正対象書類名】明細書
【補正対象項目名】０００９
【補正方法】変更
【補正の内容】
【０００９】
１    宇宙の人工衛星３個
２    GPS航法システム
３    海底ケーブル（高圧送電エネルギー線）
４    いかり
５    超伝導コイル蓄電機・発電機
６    ポッド推進器
８    保存船
９    海底ケーブル用ブイ
１０  浮島（海底ケーブル・高圧送電エネルギー線中継基地・GPS航法システム運用基地・海底ケーブル通信信号線中継基地）
【手続補正４】
【補正対象書類名】図面
【補正対象項目名】図１
【補正方法】変更
【補正の内容】
【図１】
0003133563.tif 000004
【手続補正書】
【提出日】平成19年5月7日(2007.5.7)
【手続補正１】
【補正対象書類名】実用新案登録請求の範囲
【補正対象項目名】全文
【補正方法】変更
【補正の内容】
【実用新案登録請求の範囲】
【請求項１】
ポッド推進器を超伝導コイル蓄電機を発電機としてＸ−Ｙ平面位置決めするＧＰＳ航法システムを構成したエコロジー処理コンピュータ海底ケーブル。
【請求項２】
ＧＰＳ航法システムを具備した事を特徴とする請求項１記載のエコロジー処理コンピュータ海底ケーブル。
【請求項３】
ポッド推進器を具備した事を特徴とする請求項１記載のエコロジー処理コンピュータ海底ケーブル。
【請求項４】
超伝導コイル蓄電機を発電機としてポッド推進器を運用するため具備した事を特徴とする請求項１記載のエコロジー処理コンピュータ海底ケーブル。
【手続補正２】
【補正対象書類名】明細書
【補正対象項目名】０００７
【補正方法】変更
【補正の内容】
【０００７】  本考案の実施の形態の一例について、図面を参照しながら説明する。  エコロジー処理コンピュータ海底ケーブルは、図１に示すように、宇宙の人工衛星３個１、ＧＰＳ航法システム２、それを運用する１つ以上の超伝導コイル蓄電機を発電機５、とし、ポッド推進器６、を有した海底ケーブル・高圧送電エネルギー線中継基地・ＧＰＳ航法システム運用基地・海底ケーブル通信信号線中継基地１０、を人工島として有し、従来の海底ケーブル用ブイに比して、いかり４による位置決めの困難な海底ケーブル（高圧送電エネルギー線）３を位置制御し、その重量と電磁波公害対策の検討としている。
【手続補正３】
【補正対象書類名】明細書
【補正対象項目名】０００９
【補正方法】変更
【補正の内容】
【０００９】１    宇宙の人工衛星３個２    ＧＰＳ航法システム３    海底ケーブル（高圧送電エネルギー線）４    いかり５    超伝導コイル蓄電機・発電機６    ポッド推進器９    海底ケーブル用ブイ１０  浮島（海底ケーブル・高圧送電エネルギー線中継基地・ＧＰＳ航法システム運用基地・海底ケーブル通信信号線中継基地）
【手続補正４】
【補正対象書類名】図面
【補正対象項目名】図１
【補正方法】変更
【補正の内容】
【図１】
0003133563.tif 000005